(57)【要約】【課題】  エレベータ装置据付後でも、かご側の重量に応じてその全体重量を容易に変更することができるエレベータの釣合い重り装置を得る。【解決手段】  エレベータの主索によって懸吊された枠と、この枠内に設けられた複数の加減重りと、枠の上下両端部に設けられ、昇降路内に立設された釣合い重り用ガイドレールに係合する案内装置とを備え、前記枠は、枠内に設けられた加減重りに応じて、その取付位置が上下方向に変更可能に構成された上枠及び下枠を有する。【選択図】      図１
2006056661.tif 000002
【特許請求の範囲】
【請求項１】
エレベータの主索によって懸吊された枠と、この枠内に設けられた複数の加減重りと、前記枠の上下両端部に設けられ、昇降路内に立設された釣合い重り用ガイドレールに係合する案内装置とを備え、前記枠は、取付位置が上下方向に変更可能に構成された上枠及び下枠を有することを特徴とするエレベータの釣合い重り装置。
【請求項２】
枠は、加減重りの両側に配置され、それぞれの上部及び下部に上下方向に渡って複数の取付孔が設けられた２つの縦枠と、この縦枠の上部に設けられた前記取付孔を介して前記縦枠に設けられた上枠と、前記縦枠の下部に設けられた前記取付孔を介して前記縦枠に設けられた下枠とを備えたことを特徴とする請求項１に記載のエレベータの釣合い重り装置。
【請求項３】
上枠及び下枠は、枠内に設けられた加減重りに応じてその取付位置が上下方向に変更可能に構成されたことを特徴とする請求項１又は請求項２に記載のエレベータの釣合い重り装置。
【請求項４】
下枠は、この下枠の下方に設けられた緩衝器に応じてその取付位置が上下方向に変更可能に構成されたことを特徴とする請求項１から請求項３の何れかに記載のエレベータの釣合い重り装置。
【請求項５】
案内装置は、縦枠の上下両端部に着脱可能に設けられたことを特徴とする請求項１から請求項４の何れかに記載のエレベータの釣合い重り装置。
【発明の詳細な説明】
【技術分野】
【０００１】
この発明は、エレベータのかごと逆方向に昇降路内を昇降する釣合い重り装置に関するものである。
【背景技術】
【０００２】
エレベータのかごとは逆方向に昇降路内を昇降する従来の釣合い重り装置には、その下部に、緩衝器との所定間隔を主索の伸びに応じて調節する補助重りを備え、釣合い重り装置の全体重量を損ねることなく釣合い重り装置と昇降路ピット部の緩衝器との間隔を調整することができるようにしたものがある（例えば、特許文献１参照）。
【０００３】
【特許文献１】特開昭５２−１５５７４９号公報
【発明の開示】
【発明が解決しようとする課題】
【０００４】
特許文献１に記載されているような従来のエレベータの釣合い重り装置は、巻上機の駆動綱車に巻き掛けられた主索によって、かごと釣瓶式に懸吊されており、この駆動綱車の回動に連動してかごとは逆方向に昇降路内を昇降する。この釣合い重り装置は、駆動綱車の回動に必要な巻上機の負担を軽減するため、通常、かごに定員の半分の乗客が乗車した状態で、かご全体の重量と釣合い重り装置全体の重量とがほぼ等しくなるようにその重量が設定されている。したがって、エレベータ装置の据付後にかご側の重量が増減した場合には、釣合い重り側の重量もかご側の重量に合わせて調整する必要がある。しかし、従来の釣合い重り装置は、その重量がエレベータ装置設計時のかご重量等に基づく計画重量によって定められていたため、この釣合い重り装置の計画重量に基づいて枠の長さが設定されていた。したがって、例えば、かごに空調設備を新たに設置したり、意匠性向上のために大理石を使用してかご室内部を改装したりすることによってかご側の重量が大幅に増加した場合には、釣合い重り装置の枠自体の交換が必要となり、その交換作業に多大な時間と労力とを要することとなっていた。また、釣合い重り装置の計画重量によって長さの異なる釣合い重り装置の枠が必要となるため、枠の種類も増加し、作業効率が悪くなるという問題も生じていた。
【０００５】
この発明は、上述のような課題を解決するためになされたもので、その目的は、エレベータ装置据付後でも、かご側の重量に応じてその全体重量を容易に変更することができるエレベータの釣合い重り装置を提供することである。
【課題を解決するための手段】
【０００６】
この発明に係るエレベータの釣合い重り装置は、エレベータの主索によって懸吊された枠と、この枠内に設けられた複数の加減重りと、枠の上下両端部に設けられ、昇降路内に立設された釣合い重り用ガイドレールに係合する案内装置とを備え、枠は、取付位置が上下方向に変更可能に構成された上枠及び下枠を有するものである。
【発明の効果】
【０００７】
この発明は、エレベータの主索によって懸吊された枠と、この枠内に設けられた複数の加減重りと、枠の上下両端部に設けられ、昇降路内に立設された釣合い重り用ガイドレールに係合する案内装置とを備え、枠は、取付位置が上下方向に変更可能に構成された上枠及び下枠を有する構成としたことで、エレベータ装置据付後でも、かご側の重量に応じて釣合い重り装置の全体重量を容易に変更することができる。
【発明を実施するための最良の形態】
【０００８】
実施の形態１．
図１は、この発明の実施の形態１におけるエレベータの釣合い重り装置の正面図である。図において、エレベータの主索１によってかご（図示せず）と釣瓶式に懸吊された釣合い重り装置は、シンブルロッド１ａを介して主索１の一端部に連結された枠２と、釣合い重り装置全体の重量を調節するために枠２内に載置された複数の加減重り３と、枠２の上下両端部に設けられ、エレベータ昇降路内に立設された釣合い重り用ガイドレール（図示せず）に係合することによって、釣合い重り装置の水平方向の移動を制限する案内装置４とが備えられている。主索１によって懸吊されるとともに加減重り３を支持する枠２は、横断面が略コ字状を呈し、このコ字状の開口部が互いに対向するように、加減重り３の両側に配置された２つの縦枠２ａと、その両端部が縦枠２ａのコ字状部内に配置されるように、縦枠２ａのそれぞれの下部に渡って設けられた下枠２ｂと、この下枠２ｂと同様にその両端部が縦枠２ａのコ字状部内に配置されるように、縦枠２ａのそれぞれの上部に渡って設けられた上枠２ｃとから構成されている。また、縦枠２ａのそれぞれの上部及び下部には、コ字状の対向する側面に複数の取付孔２ｄが設けられており、この取付孔２ｄは、縦枠２ａの上部及び下部の所定の範囲に、上下方向に渡って等間隔に配置されている。そして、下枠２ｂは、縦枠２ａの下部に設けられた取付孔２ｄを介してボルト５によって縦枠２ａに固定され、上枠２ｃは、縦枠２ａの上部に設けられた取付孔２ｄを介してボルト５によって縦枠２ａに固定されている。
【０００９】
縦枠２ａの下部に渡って略水平に設けられた下枠２ｂは、その下面中央部に緩衝器受け６が設置されている。また、釣合い重り装置全体の重量を調整する加減重り３は、その両端部が縦枠２ａのコ字状部内に収まるように配置され、下枠２ｂの上面に載置されている。なお、この加減重り３は、かごに定員の半分の乗客が乗車した状態でかご全体の重量と釣合い重り装置全体の重量とがほぼ等しくなるように必要な数量が積み重ねられており、図示されていないが、枠２からの脱落を防止するため通しボルト等によって固定されている。一方、縦枠２ａの上部に渡って略水平に設けられた上枠２ｃは、枠２内に積み重ねられた加減重り３に干渉しないように、加減重り３の高さに合わせて適切な位置の取付孔２ｄを介して縦枠２ａに固定されている。また、釣合い重り装置の水平方向の移動を制限するガイドシューやガイドローラ等からなる案内装置４は、縦枠２ａの上下両端部にそれぞれ着脱可能に設けられている。
【００１０】
以上のような構成を有する釣合い重り装置を備えたエレベータ装置では、かごに空調設備を新たに設置する等してエレベータ装置の据付後にかご全体の重量が大幅に増減した場合、釣合い重り装置に必要な加減重り３の数量に合わせて、下枠２ｂ及び上枠２ｃの取付位置を上下方向に調節することが可能である。即ち、かご全体の重量が大幅に増加することにより、かご重量増加前の下枠２ｂ及び上枠２ｃの設置位置では、必要な加減重り３の全てを枠２内に支持することができない場合には、上枠２ｃをより上方の取付孔２ｄを介して縦枠２ａに固定することにより、上枠２ｃと下枠２ｂとの間隔を広げることができ、かご全体の重量を増加する前よりも多くの加減重り３を支持することが可能となる。なお、上枠２ｃの取付位置を変更することによっても加減重り３の全てを設置することができない場合には、下枠２ｂをより下方の取付孔２ｄを介して縦枠２ａに固定することにより、さらに上枠２ｃと下枠２ｂとの間隔を広げることができる。また、かご全体の重量が大幅に増加した場合、釣合い重り装置の下方に設けられた緩衝器（図示せず）を交換することによって、緩衝器のストロークが長くなったり、緩衝器と緩衝器受け６との間隔が狭くなったりすることも生じ得る。かかる場合には、下枠２ｂをより上方の取付孔２ｄを介して縦枠２ａに固定することにより、主索１の吊り位置を変えることなく、緩衝器と緩衝器受け６との間隔を適正に設定することも可能となる。
【００１１】
この発明の実施の形態１によれば、枠２の上枠２ｃと下枠２ｂとは、縦枠２ａの上下部に上下方向に渡って複数の取付孔２ｄが設けられているため、エレベータ装置の据付後にかご重量が大幅に増減した場合でも、必要な加減重り３の数量、即ち加減重り３の重量に応じて、その取付位置を上下方向に容易に変更することが可能となる。したがって、かご全体の重量が大幅に増加した場合でも、枠２を交換することなく釣合い重り装置の重量を調節することが可能となり、釣合い重り装置の重量の調整作業が容易になる。また、縦枠２ａを十分な長さに設定することにより種々のエレベータ装置に対応できるため、枠２の共通化を図ることも可能となる。なお、案内装置４は縦枠２ａの上下両端部に設けられているため、釣合い重り装置の重量調整が必要となった場合でも、その取付位置が変化することはなく、昇降路頂部の隙間や昇降路下部のピット部の隙間を広げるといった作業が必要となることもない。また、着脱自在に構成されているので、加減重り３を設置する作業効率も向上する。
【００１２】
なお、この発明の実施の形態１では、縦枠２ａに設けられた取付孔２ｄによって、上枠２ｃ及び下枠２ｂの取付位置を変更可能に構成したが、エレベータ装置据付後に、上枠２ｃ及び下枠２ｂの取付位置を加減重り３の重量や緩衝器のストローク等に応じて適切に変更することが可能な構成を有していれば、この発明と同様の効果が得られることは言うまでもない。
【図面の簡単な説明】
【００１３】
【図１】この発明の実施の形態１におけるエレベータの釣合い重り装置の正面図である。
【符号の説明】
【００１４】
１  主索
１ａ  シンブルロッド
２  枠
２ａ  縦枠
２ｂ  下枠
２ｃ  上枠
２ｄ  取付孔
３  加減重り
４  案内装置
５  ボルト
６  緩衝器受け
【図１】
2006056661.tif 000003